(57)【要約】【課題】      引き舟の上下面に透明な平板状の覗き窓を設けた場合、上下の覗き窓間入った空気が気泡となって視界を遮るため水中が見にくいこと。【解決手段】  舟本体１は、舟底状の本体下部２と本体上部３の外殻体を上下に組み合わせて形成され、内部空間が魚収納部Ｓとなっており、本体下部２と本体上部３に設けた開口部３ｃと開口部２ｃ周辺でカップ状部材６が支持されるようになっている。カップ状部材６は周面６ｂと底面６ｃを有する上部に開口６ａが形成された容器体で、周面６ｂと底面６ｃは透明な材料で形成され開口６ａ側から底面６ｃを見ると底面６ｃを通してその下方側が視認できるようになっている。【選択図】        図２
2008086224.tif 000002
【特許請求の範囲】
【請求項１】
内部に魚収納部を有し浮力を有する釣り用引き舟の舟本体に、少なくとも底面を透光性を有する材料で形成し上方が開口したカップ状部材を取り付けたことを特徴とする釣り用引き舟。
【請求項２】
カップ状部材は舟本体に魚収納部を貫通して取り付けたことを特徴とする請求項１記載の釣り用引き舟。
【請求項３】
カップ状部材は舟本体の外側面に取り付けたことを特徴とする請求項１記載の釣り用引き舟。
【請求項４】
カップ状部材は舟本体に着脱可能に取り付けたことを特徴とする請求項１乃至３記載の釣り用引き舟。
【発明の詳細な説明】
【技術分野】
【０００１】
本発明は、水中を透視する手段を備えた釣り用引き舟に関する。
【背景技術】
【０００２】
従来から釣りをしていると仕掛けが水中に引っ掛かってしまういわゆる根掛かりが発生してしまい、根掛かりを上手に外したり、水中に残った仕掛けを回収することが困難であった。
【０００３】
一方、鮎の友釣りは生きたおとり鮎を使用して釣りを行うため、根掛かりが起こりやすく、釣った魚を順番におとり鮎として仕掛けに取り付けて使用するため根掛かりでおとり鮎を失うことは釣果を下げることとなり、出来るだけおとり鮎を回収する必要があった。
また、鮎の友釣りの他、釣り全般において水中の状態を知ることで釣果を向上させたいという要望があり、このようなことから水中を見ることが出来るようにすることが望まれていた。
【０００４】
上記のことから特許文献１に水中を透視可能にする覗き窓を有する釣り用引き舟が紹介され、鮎釣りに使用する引き舟の上下面に透明な平板状の覗き窓を設け、水中を覗くことで根掛かりの状況を把握できるようにしている。
しかし、引き舟の上下面に透明な平板状の覗き窓を設けた場合、上下の覗き窓間に水と共に気泡が入るため見にくいという欠点があった。
【特許文献１】特開２００２−１０１７９９
【発明の開示】
【発明が解決しようとする課題】
【０００５】
解決しようとする課題は、引き舟の上下面に透明な平板状の覗き窓を設けた場合、上下の覗き窓間に水と共に入った空気が気泡となって視界を遮るため水中が見にくいことである。
【０００６】
本発明の目的は前記欠点に鑑み、水中を透視する手段を備えた釣り用引き舟において、十分に水中が見えるようにすることである。
【課題を解決するための手段】
【０００７】
上記課題を解決するために、
請求項１に係わる本発明は、内部に魚収納部を有し浮力を有する釣り用引き舟の舟本体に、少なくとも底面を透光性を有する材料で形成し上方が開口したカップ状部材を取り付けたことを要旨とするものである。
請求項２に係わる本発明は、カップ状部材は舟本体に魚収納部を貫通して取り付けたことを要旨とするものである。
請求項３に係わる本発明は、カップ状部材は舟本体の外側面に取り付けたことを要旨とするものである。
請求項４に係わる本発明は、カップ状部材は舟本体に着脱可能に取り付けたことを要旨とするものである。
【発明の効果】
【０００８】
本発明によると、内部に魚収納部を有し浮力を有する釣り用引き舟の舟本体に、少なくとも底面を透光性を有する材料で形成し上方が開口したカップ状部材を取り付けたので気泡が視界を遮ることが防止され、水中が見やすくなる。
【発明を実施するための最良の形態】
【０００９】
以下、本発明の実施形態を図面に基づき説明すると、図１から図４は本発明の第１実施例で、図１は釣り用引き舟の使用状態図、図２は釣り用引き舟の全体図、図３はカップ状部材を取り外した釣り用引き舟の部分拡大断面図、図４はカップ状部材を装着した釣り用引き舟の部分拡大断面図である。
【００１０】
図１および図２によると、釣り用引き舟Ｔは、内部に魚収納部Ｓを有する舟本体１の先端側に牽引ロープＲが設けられ、この牽引ロープＲが釣り人Ｐに取り付けられて浮力体Ｆによって流れに浮かせて引き流して使用し、内部に収納した魚を生かしておくことが出来る。
【００１１】
図２から４によると舟本体１は、舟底状の本体下部２と本体上部３の外殻体を上下に組み合わせて形成され、内部空間が魚収納部Ｓとなっており、本体上部３の上面（舟本体１の上面）３ａの前側に開閉可能な蓋４を有する魚取り出し孔３ｂが形成され、更に、蓋４には閉塞方向に付勢された開閉可能な閉塞体５を有する魚投入孔４ａが形成されている。
浮力体Ｆは本体上部３の魚収納部Ｓ側に取り付けられており、舟本体１は、魚収納部Ｓ内に水が入った状態で水に浮くようになっている。
【００１２】
本体上部３の上面（舟本体１の上面）３ａには魚収納部Ｓに通じる開口部３ｃが形成され、本体下部２の下面（舟本体１の下面）２ａの上記開口部３ｃと対向する位置に魚収納部Ｓに通じる開口部２ｃが形成されている。
開口部２ｃの周辺の魚収納部Ｓ側には支持部２ｂが魚収納部Ｓの内部に向けて突出しており、この開口部３ｃと開口部２ｃでカップ状部材６が支持されるようになっている。
【００１３】
カップ状部材６は周面６ｂと底面６ｃを有する上部に開口６ａが形成された容器体で、合成樹脂等の防水性を有する材料で形成され、周面６ｂと底面６ｃは透明な材料で形成され矩形の開口６ａ側から底面６ｃを見ると底面６ｃを通してその下方側が視認できるようになっている。
底面６ｃは透明でなくても透光性を有し底面６ｃを通して底面６ｃの向こう側が視認できれば色が付けられていても良い。
更に、周面６ｂは透光性を有していなくても良く、この場合、周面６ｂによる光の反射が防止されて底面６ｃを介してその向こう側の視認性が向上する。
【００１４】
カップ状部材６は、本体上部３の上面（舟本体１の上面）３ａの開口部３ｃから底面６ｃを下にして差し込まれ底面６ｃが本体下部２の下面（舟本体１の下面）２ａの開口部２ｃ内側周辺に当接するように装着され底面６ｃ側の周面６ｂを支持部２ｂによって支持されて、開口部３ｃ側の周面６ｂを開口部３ｃによって支持され、魚収納部Ｓを貫通するように舟本体１に着脱可能に取り付けられる。
なお、カップ状部材６の開口６ａを開閉自在に閉塞する蓋を設けても良い。
【００１５】
舟本体１にカップ状部材６が取り付けられると魚収納部Ｓは水で満たされるがカップ状部材６の内部には水が入らない。
また、カップ状部材６の内部に水が入ってもカップ状部材６を取り外すかまたは舟本体１ごと逆さにして水を出すことが出来る。
カップ状部材６は底面６ｃが本体下部２の下面（舟本体１の下面）２ａと面一にならずこれよりも魚収納部Ｓ側に配されるようになっているため釣り用引き舟Ｔの使用中に舟本体１の下面が川底等に接触しても底面６ｃの傷付きが防止されている。
【００１６】
図３のようにカップ状部材６を取り外した状態においては開口部３ｃや開口部２ｃに着脱可能に閉塞する蓋体Ｋ３、Ｋ２が取り付けられるようになっている。
このように蓋体Ｋ３、Ｋ２を取り付けられるようにすると、カップ状部材６を取り外した状態において収納した魚が逃げることが防止でき、魚収納部Ｓを広くして釣り用引き舟Ｔを使用することが出来る。
なお、蓋体Ｋ３、Ｋ２は可撓性を有するゴムや合成樹脂で形成すると着脱が容易で、水漏れも効果的に規制できる。
【００１７】
上記のようにカップ状部材６を取り付けた釣り用引き舟Ｔを使用すると、釣りをしている最中に仕掛けが根掛かりしても、水に浮いた釣り用引き舟Ｔを引き寄せるとカップ状部材６の底面６ｃが水中にて下方を向いており、開口６ａが水につからずに舟本体１の上面に上方を向いて配された状態となるため釣り用引き舟Ｔを水に浮かべたまま保持するだけで図４に矢印で示すようにように開口６ａ側から底面６ｃを通して水の中を容易に確認することが出来る。
【００１８】
カップ状部材６は、魚収納部Ｓを介して舟本体１の上下方向に設けられているため周面６ｂから光が入りにくく底面６ｃから水の中が見やすい。
また、カップ状部材６は、内部に水が入りにくく、又気泡や魚が通過しないので視界が良好であり、上部に開口６ａが形成されているため透視窓を設けた場合のようにくもりが生じることがない。
したがって、根掛かりが生じたときに水の中を容易に確認し仕掛けを外すことが容易となり、また、釣り場の水の中の状況を確認することも出来る。
【００１９】
図５から図７は、第２実施例で、図５は釣り用引き舟の全体図、図６はカップ状部材を取り外した釣り用引き舟の部分拡大断面図、図７はカップ状部材を装着した釣り用引き舟の部分拡大断面図である。
【００２０】
第２実施例の釣り用引き舟Ｔは、舟本体１後端部Ｕに凹部１ａを形成しこの凹部１ａにカップ状部材６を着脱自在に取り付けられるようになっている。
第１実施例の釣り用引き舟Ｔが本体上部３の上面（舟本体１の上面）３ａと本体下部２の下面（舟本体１の下面）２ａに開口部２ｃが形成され、カップ状部材６が魚収納部Ｓを貫通するように取り付けられているのに対し、  第２実施例の釣り用引き舟Ｔは、凹部１ａは舟本体１の上面と下面に連なるように形成され、カップ状部材６が舟本体１の外側面に取り付けられるようになっている。
【００２１】
カップ状部材６は周面６ｂに面ファスナ６ｄが取り付けられ、一方、舟本体１の凹部１ａ内に前記面ファスナ６ｄと貼着可能な面ファスナ２ｅが取り付けられている。
カップ状部材６を凹部１ａに取り付けるときはカップ状部材６の底面６ｃを凹部１ａの底面２ａ側に突出させた受け部２ｄに当接させてカップ状部材６の面ファスナ６ｄと舟本体１の面ファスナ２ｅを貼着させて保持する。
この時、カップ状部材６は周面６ｂの後方側と底面６ｃはそれぞれ舟本体１の底面２ａ側と後端部Ｕ側に突出しないように取り付けられるため傷付きが防止される。
【００２２】
第２実施例の釣り用引き舟Ｔにおいても図７の矢印のように開口６ａ側から底面６ｃを通して水の中を容易に確認することが出来、第１実施例と同様の作用効果を奏することが出来、また、舟本体１の外側面に取り付けたため着脱が容易に行える。
その他の構成は第１実施例と同様である。
【産業上の利用可能性】
【００２３】
本発明は、釣り用引き舟Ｔに利用できる。
【図面の簡単な説明】
【００２４】
【図１】図１は、釣り用引き舟の使用状態図である。
【図２】図２は、釣り用引き舟の全体図である。
【図３】図３は、カップ状部材を取り外した釣り用引き舟の部分拡大断面図である。
【図４】図４は、カップ状部材を装着した釣り用引き舟の部分拡大断面図である。
【図５】図５は、釣り用引き舟の全体図である。
【図６】図６は、カップ状部材を取り外した釣り用引き舟の部分拡大断面図である。
【図７】図７は、カップ状部材を装着した釣り用引き舟の部分拡大断面図である。
【符号の説明】
【００２５】
１    舟本体
２    本体下部
２ｃ、３ｃ  開口部
３    本体上部
６    カップ状部材
Ｆ    浮力体
Ｔ    釣り用引き舟
Ｓ    魚収納部
Ｕ    後端部
【図１】
2008086224.tif 000003
【図２】
2008086224.tif 000004
【図３】
2008086224.tif 000005
【図４】
2008086224.tif 000006
【図５】
2008086224.tif 000007
【図６】
2008086224.tif 000008
【図７】
2008086224.tif 000009